(57)【要約】【課題】把持を容易にすると共に、被験者の手との接触を確実にした静脈透視器を提供する。【解決手段】透視器本体と照射ユニットとから構成され、該透視器本体は、使用者に掴持させ、照射ユニットは、透視器本体内に組み込み、光照射領域を経由し外向きに光を発射する。透視器本体は、人の手のひらに対応して湾曲する形態に形成し、対応する外縁は、弧円形状を呈する掴持部を形成し、同時に照射ユニットの光照射領域を掴持部に隣接する所望箇所に設置し、且つ光照射領域外縁は、弧形ランプシェードを設けている。【選択図】図４
2010246850.tif 000002
【特許請求の範囲】
【請求項１】
透視器本体と、該透視器本体内に組み込まれる照射ユニットと、を含んで構成され、該照射ユニットが光照射領域を経由して外向きに光を発射する静脈透視器であって、
前記透視器本体は、人の手のひらに対応して湾曲する形態に形成し、対応する外縁は、弧円形状を呈する掴持部を有し、前記照射ユニットの光照射領域を前記掴持部に隣接する所望箇所に設置し、且つ前記光照射領域外縁に弧形ランプシェードを設けたことを特徴とする静脈透視器。
【請求項２】
前記透視器本体は、筆状形態を呈し、掴持部は、断面円状を呈する形状であることを特徴とする請求項１記載の静脈透視器。
【請求項３】
前記透視器本体が球状形態を呈し、掴持部は、半円状を呈する球面形態であり、且つ等間隔で設置する凹縁面を有し、前記掴持部を掴持する手指が支持する接触力を増加することを特徴とする請求項１記載の静脈透視器。
【請求項４】
前記透視器本体は、ギアレバー状構造を呈し、掴持部は円弧状を呈する形状であり、上端が比較的大きな掴持面積を有し、下向きに徐々に縮小して延伸することを特徴とする請求項１記載の静脈透視器。
【請求項５】
前記透視器本体は、把手状形態を呈し、掴持部に指が入る溝状の凹縁面形態を形成して掴持時に手指が支持する接触力を増加することを特徴とする請求項１記載の静脈透視器。
【請求項６】
前記透視器本体は、球状を呈し、掴持部は複数の凹凸縁面が間隔を置いて配置される形態に形成し、掴持時に手指が支持する接触力を増加することを特徴とする請求項１記載の静脈透視器。
【請求項７】
前記照射ユニットは、少なくとも、電源、回路板、複数の発光ダイオード、開口調整器を備えて構成され、前記発光ダイオードは、独立波長、又は５９０〜６６０ｎｍの異なる波長を交錯して合成した光源を発生し、異なる皮膚色においても手の甲の皮膚下組織の静脈血管の大きさ、湾曲及び分岐状態を明確に現すことができることを特徴とする請求項１記載の静脈透視器。
【発明の詳細な説明】
【技術分野】
【０００１】
本発明は、使用時の掴持を容易にし、かつ良好に被験者の手に接触できるようにした静脈注射などに用いられる静脈透視器に関する。
【背景技術】
【０００２】
一般に採血又は注射は、人体の皮膚下の組織の血管の大きさ、湾曲及び分岐の状態が人により異なるため、困難な場合がある。静脈は、目視により見えるものもあるが、人体の皮膚下の静脈の位置は、比較的深くかつ細いので、発見され難く、血管の位置を探し出すのに技量を必要とし、特に、脂肪層が比較的厚い病人などは、しばしば血管が探し出せず、盲目で注射針を刺されたり、或いは針の挿入が不適当であったりすることがある。本発明者は、「血管イメージ探索器」特許（新型第Ｍ２６１１７５号）及び「血管イメージ探索器」特許（新型第Ｍ２６８０００号）を発明し提案している。該特許技術は、発射波長６００〜６５０ｎｍのＬＥＤ赤色光源及びキセノン電球（又はタングステン電球、又は赤色フィルタを共に使用したもの）を光源とし、身体表面付近の静脈又は血管を捜索して明確化し、採血又は注射時における正確な注射針の静脈に対する挿入を可能にした。
【発明の概要】
【発明が解決しようとする課題】
【０００３】
しかしながら、上記従来の技術は、使用上、依然として不足の箇所があり、使用者の手による把持が困難であり、被験者の手に対する接触が不確実である等の不都合がある。
【０００４】
本発明の目的は、持ち心地を快適、軽快にし、同時に光照射領域と人体手部の接触を安定、確実にして静脈の透視を向上した静脈透視器を提供することである。
【０００５】
本発明のもう１つの目的は、静脈透視器の光源に５９０〜６６０ｎｍの異なる波長を交錯させて使用することで、光透視を強化する効果を達成し、静脈透視を向上させることにある。
【課題を解決するための手段】
【０００６】
上記の目的を達成する為、本発明の静脈透視器は、透視本体及び照射ユニット等の構成部材から構成され、イメージ光源を発生するイメージ透視器であり、照射ユニットは、透視器本体内に組み込まれ、少なくとも、電源、回路板、複数の発光ダイオード、開口調整器等の構成部材から構成され、更に透視器本体上に外部に露出した光照射領域を形成していると共に、該透視器本体が人の手に対応して湾曲するような態様で形成され、筆状、球状、又はギアレバー状等の形態であり、相対する外縁に弧円状の掴持部を形成し、同時に該照射ユニットの光照射領域を該掴持部に隣接する所望箇所に設置し、且つ光照射領域外縁には、弧形ランプシェードを設けている。前記照射ユニットの発光ダイオードは、独立波長、又は５９０〜６６０ｎｍの異なる波長が交錯して合成した光源を発生し、異なる皮膚色において、患者の手の甲の皮膚下組織の静脈血管の大きさ、湾曲及び分岐状態を明確にすることができる。
【発明の効果】
【０００７】
本発明によれば、透視器本体の掴持部及び弧形ランプシェードが人体工学の構造適合することで被験者の手部と接触する緊密度を向上させ、及び異なる波長の発光ダイオードを混合する照射効果を利用して静脈血管の明晰化効果を促進できる。
【図面の簡単な説明】
【０００８】
【図１】本発明の第１実施例の静脈透視器を示す立体外観図である。
【図２】本発明の第１実施例の静脈透視器を示す説明図である。
【図３】本発明の第１実施例の静脈透視器の平面図である。
【図４】本発明の第２実施例の静脈透視器を示す立体外観図である。
【図５】本発明の第２実施例の静脈透視器の使用状態を示す説明図である。
【図６】本発明の第３実施例の静脈透視器を示す正面図である。
【図７】本発明の第３実施例の静脈透視器を示す側面図である。
【図８】本発明の第３実施例の静脈透視器の平面図である。
【図９】本発明の第４実施例の静脈透視器を示す側面図である。
【図１０】本発明の第４実施例の静脈透視器の正面図である。
【図１１】本発明の第４実施例の静脈透視器の平面図である。
【図１２】本発明の第５実施例の静脈透視器を示す立体外観図である。
【図１３】本発明の第５実施例の静脈透視器の平面図である。
【発明を実施するための形態】
【０００９】
以下、図面を参照して本発明の実施例を説明する。
【００１０】
図１〜図１３に示すように、本発明の実施例に係る手握式静脈透視器１は、透視器本体１０、照射ユニット２０等の構成部材から構成されている。
【００１１】
前記透視器本体１０は、イメージ透視器１の外層殻体であり、構造形態上、人体工学に適合するよう形成され、人の手の湾曲する構造に的確に対応し、その外縁全円周又は相対する箇所に弧円状の掴持部１１を形成している。該透視器本体１０は、球状（図１〜図３、図９〜図１３参照）、筆状（図４、図５参照）、ギアレバー状（図６、図７参照）等の形態を呈することができる。これらは、外形線の変化において差異を有するのみであり、実質的構造は、同じである。各実施例の掴持部１１の詳細な構造形態は、後に説明する。そこで、先に球状の実施例で透視器本体１０及び照射ユニット２０を説明する。
【００１２】
図２に示すように、前記照射ユニット２０は、透視器本体１０内に組み込まれ、少なくとも、電源２１、回路板２２、複数の発光ダイオード２３、開口調整器２４等の構成部材から構成されている。前記電源２１は、一般の電池であって該透視器本体１０も内縁底層に配置し、上向きに回路板２２を組み立て、該回路板２２上には、発光ダイオード２３及び制御チップ、ＩＣ（図示せず）等の構成部材を配置している。該発光ダイオード２３は、独立波長又は５９０〜６６０ｎｍの異なる波長の交錯（例えば、赤色光及びキセノンの交錯）により、強化した照射光を発生し、異なる皮膚の色においても迅速且つ明確に患者の手の甲の皮膚下組織の静脈血管の大きさ、湾曲、分岐状態を現すことができるようになっている。また、該透視器本体１０外側には、光度を制御する開閉部２３１を設けている。該開口調整器２４は、発光ダイオード２３上方に設けられ、該透視器本体１０外側に向かって制御部を突出させて露出し、開口の大きさを調整でき、異なる環境の光線に適合でき、発光ダイオード２３が発生する光線が外向きに発射された後、該透視器本体１０が該発光ダイオード２３上方に接する外層に光照射領域２６を形成している。説明すべきことは、筆式又はギアレバー式等の実施例では、内部の空間が小さく、この開口調整器２４の構成部材は省略することができるということである。
【００１３】
次に、更に説明すべきことは、本発明の透視器本体１０の光照射領域２６の位置に対応する構造は、図２に示すように光照射領域２６上方に弧凸状の弧形ランプシェード１２を設置し、該弧形ランプシェード１２を利用し、使用者の手のひらと光源発光箇所とが緊密に接合して接触することができ、静脈血管イメージを増進する効果を得ることができる。
【００１４】
本発明の各実施例における掴持部１１の構造の特徴に説明を加える。先ず、図１〜図３に示す第１実施例では、透視器本体１０は、球状の形態を呈して掴持部１１は、半円状を呈する球面形態であり、且つ等間隔で設置する複数の凹縁面１２を有し、更に持つ時の手指が支持する接触力を増加するようになっている。
【００１５】
図４及び図５に示すように、第２実施例は、透視器本体１０が、筆状形態を呈し、掴持部１１は、断面円状の形状を呈し、使用者の掴持時の快適性を補助している。
【００１６】
図６〜図８に示すように、第３実施例は、透視器本体１０が、ギアレバー状の形態を呈し、掴持部１１が呈する弧円状構造は、上端が比較的大きな掴持面積を有し、下向きに徐々に縮小して延伸し、人の手の掴持を補助するようになっている。
【００１７】
また、図９〜図１１に示すように、第４実施例は、透視器本体１０が、把手状形態を呈し、該掴持部１１は、指溝状の凹縁面形態を形成し、掴持時の手指が支持する接触力を増加するようになっている。
【００１８】
更に、図１２及び図１３に示すように、第５実施例は、透視器本体１０が、球状形態を呈し、掴持部１１は、複数の凹凸縁面が間隔を置いて配置された形態を形成し、掴持時の手指が支持する接触力を増加するようになっている。
【００１９】
上記の構成部材から構成され、透視器本体１０の掴持部１１と弧形ランプシェード１２を利用し、人体工学の構造に適合すること、及び異なる波長の発光ダイオード２３の混合によって強化された照射効果によって、使用者の手部が透視器を持つ快適性と安定性、及び光照射領域と使用者の手部が接触する緊密度を向上させて、静脈血管イメージの明晰化効果を促進している。
【００２０】
なお、本発明では好ましい実施例を前述の通り開示したが、これらは決して本発明を限定するものではなく、当該技術を熟知する者なら誰でも、本発明の精神と領域を脱しない均等の範囲内で各種の変更を加えることができることは勿論である。
【符号の説明】
【００２１】
１  イメージ透視器
１０  透視器本体
１１  掴持部
１２  弧形ランプシェード
２０  照射ユニット
２１  電源
２２  回路板
２３  発光ダイオード
２３１  開閉部
２４  開口調整部
２４１  制御部
２６  光照射領域
【図１】
2010246850.tif 000003
【図２】
2010246850.tif 000004
【図３】
2010246850.tif 000005
【図４】
2010246850.tif 000006
【図５】
2010246850.tif 000007
【図６】
2010246850.tif 000008
【図７】
2010246850.tif 000009
【図８】
2010246850.tif 000010
【図９】
2010246850.tif 000011
【図１０】
2010246850.tif 000012
【図１１】
2010246850.tif 000013
【図１２】
2010246850.tif 000014
【図１３】
2010246850.tif 000015